(57)【要約】  義歯を製造するために、義歯床に人工歯が挿入される。本発明に従って使用される人工歯は、挿入状態で目に見える外側部分（１２）を有する。内側部分（１４）は、挿入状態で義歯床（２０）内に配置される。歯の外側に対応する人工歯の仮想データ記録は、アンダーカットのない、歯の内側部分の領域に仮想歯肉線を画定するのに役立つ。義歯床を製造するために、義歯床にキャビティ（２２）を形成する。ＣＡＤ／ＣＡＭ法のような自動製造方法を用いてキャビティ（２２）を形成することができるようにするために、人工歯が仮想義歯床（２０）から仮想的に差し引かれ、それによりキャビティエッジ（２４）が画定され、これは仮想歯肉線（１０）に対応する。【選択図】図１
2019524368.tif 000002
【特許請求の範囲】
【請求項１】
義歯床（２０）に挿入するための人工歯と、前記歯の仮想データセットとを含む歯ユニットであって、
前記人工歯は、前記挿入状態で目に見える外側部分（１２）と、前記挿入状態で前記義歯床（２０）の内側に配置された内側部分（１４）とを有し、
前記歯の前記仮想データセットは、その外側の形状に対応し、
前記人工歯の前記仮想データセットは、前記内側部分（１４）の前記方向にアンダーカットのない前記領域に仮想歯肉線（１０）を有し、前記歯肉線は、前記外側部分（１２）から前記内側部分（１４）への前記移行部を画定することを特徴とする、歯ユニット。
【請求項２】
前記仮想歯肉線（１０）が、完全に円周方向に延び、かつ／または特定の歯の所望の外観に応じて配置されていることを特徴とする、請求項１に記載の歯ユニット。
【請求項３】
前記内側部分（１４）が非対称、特に回転非対称になるように設計されていることを特徴とする、請求項１または２に記載の歯ユニット。
【請求項４】
前記内側部分（１４）が、少なくとも０．６ｍｍ、好ましくは少なくとも１．０ｍｍ、特に好ましくは少なくとも１．２５ｍｍの最小外半径を有することを特徴とする、請求項１から３のいずれか一項に記載の歯ユニット。
【請求項５】
請求項１から４のいずれか一項に記載の前記歯ユニットによって画定される人工歯がそれぞれ挿入される複数のキャビティ（２２）を有する義歯床を備える義歯であって、
前記キャビティ（２２）は、前記歯が前記義歯床（２０）に挿入される挿入方向（２６）に対してアンダーカットがないことを特徴とする、義歯。
【請求項６】
前記キャビティ（２２）は、挿入される対応する前記人工歯の前記内側部分（１４）と相補的になるように形成され、それにより前記キャビティ（２２）と関連する前記歯の前記内側部分との間に一定の幅の間隙が形成されることを特徴とする、請求項５に記載の義歯。
【請求項７】
前記キャビティ（２２）が非対称、特に回転非対称であるように形成され、かつ／またはすべてのキャビティ（２２）が形状が異なり、それによってキャビティ（２２）に対する人工歯の独特の関連が得られることを特徴とする、請求項５または６に記載の義歯。
【請求項８】
前記キャビティ（２２）は、埋め込まれた人工歯が規定の歯の高さを有するように設計されていることを特徴とする、請求項５から７のいずれか一項に記載の義歯。
【請求項９】
前記キャビティエッジ（２４）と前記仮想歯肉線（１０）とが、少なくとも部分的に、特に完全に、重なることを特徴とする、請求項５から８のいずれか一項に記載の義歯。
【請求項１０】
前記キャビティ（２２）が、前記キャビティ内に挿入されるべき前記人工歯の前記内側部分（１４）の最小外半径以上の最小内半径を有することを特徴とする、請求項５から９のいずれか一項に記載の義歯。
【請求項１１】
義歯床の製造方法であって、
請求項１から４のいずれか一項に記載の少なくとも１つの歯を仮想義歯床（２０）に仮想埋め込みするステップと、
前記仮想歯肉線（１０）を前記義歯床の上に転写してキャビティエッジ（２４）を画定するステップと、
義歯基体に少なくとも１つのキャビティ（２２）を形成することにより、実際の義歯床（２０）を製造するステップと、を含む、方法。
【請求項１２】
前記キャビティエッジ（２４）が、前記仮想義歯床（２０）から前記歯を仮想的に差し引くことによって画定される、請求項１１に記載の義歯床の製造方法。
【請求項１３】
前記キャビティ（２２）がＣＡＤ／ＣＡＭ法を使用して作られ、前記キャビティエッジ（２４）が工具の動きを規定するのに役立つ、請求項１１または１２に記載の義歯床の製造方法。
【請求項１４】
一定の幅の接着間隙（２８）を形成するために、前記キャビティ（２２）は、請求項１から５のいずれか一項に記載の前記歯の下側に相補的になるように製造され、かつ／または前記キャビティ（２２）は、前記歯の挿入方向（２６）にアンダーカットがないように形成される、請求項１１から１３のいずれか一項に記載の義歯床の製造方法。
【請求項１５】
前記キャビティ（２２）を形成するための工具、特にフライス工具は、前記キャビティに挿入される前記人工歯の前記内側部分（１４）の最小外半径以上の作業半径を有する、請求項１１から１４のいずれか一項に記載の義歯床の製造方法。
【請求項１６】
歯列弓の複数の歯、特にすべての歯が仮想的に埋め込まれ、すべての関連するキャビティエッジ（２４）が画定され、すべての関連するキャビティ（２２）が製造される、請求項１１から１５のいずれか一項に記載の義歯床の製造方法。
【請求項１７】
前記少なくとも１つの歯を仮想的に埋め込む前に、少なくとも、
印象を作製することによって、またはデジタル画像化によって患者の口腔状況を決定するステップと、
おそらく、患者の前記口腔状況をデジタル化するステップと、
歯または歯の組の対応する配置概念に従って理想的に計算された配置から歯科補綴物を形成する歯を選択することにより、決定された前記患者の状況を考慮する空間に仮想的に配置される前記歯の仮想配置を得るステップと、
前記仮想配置で組み立てられた前記歯を仮想義歯床に仮想的に埋め込むステップと、
が実行される、請求項１１から１６のいずれか一項に記載の義歯床の製造方法。
【発明の詳細な説明】
【技術分野】
【０００１】
本発明は、義歯床に挿入するための人工歯を有する歯ユニット、および義歯床の製造方法に関する。
【背景技術】
【０００２】
今日、部分義歯または総義歯を患者に提供する基準は高い。歯科医は患者において対処されるよう状況を準備するが、（部分）義歯は通常、歯科医の仕様に従って歯科矯正医によって外部の検査室または診療所の検査室で製造される。ここで、義歯の品質は、義歯を製作する際に歯科医の仕様を考慮しなければならない歯科矯正医の熟練した職人技、ならびにこれらの仕様の品質に大きく左右される。
【０００３】
さらに、義歯を提供されるべき患者の準備は、しばしば患者にとって不便を伴う。これに関連して注目すべきは、例えば、凹型モデルとして歯科矯正医に役立つ、治療されるべき状況の印象が作られなければならない、治療歯科医での様々なセッションである。その後のさらなる印象は時間がかかり、しばしば補綴治療の不正確な実行の理由である。典型的には、歯科矯正医が義歯の実際の製造を始めることができる前に、２回または３回の印象セッションが必要とされる。
【０００４】
国際公開第２０１１／０６６８９５号は、義歯の自動製造方法に関し、この方法は、製造される個々の義歯のデジタルデータセットを提供するステップと、モデルを歯列弓と歯肉にデジタル分離するステップと、切削技術を使用してセラミックおよびプラスチック材料から歯列弓を製造するか、または主に（メタ）アクリレート系プラスチック材料から創成法もしくは切除方法を使用して義歯床を製造するステップと、歯列弓と歯肉塊とを接着もしくは接合もしくは接着と接合との組み合わせによって接続するステップと、を含む。
【０００５】
欧州特許出願公開第２１１１８１号明細書は、義歯の基礎部分または基礎部分を有する義歯を、例えば、３Ｄリソグラフィ、特に３Ｄレーザリソグラフィなどのラピッドプロトタイピング法を用いてその基礎部分を形成するステップにより製造する方法に関する。さらに、義歯の基礎部分の形状を表すデータセットを作成するための方法が開示され、歯肉領域またはそのモデルが走査され、かつ／または基礎部分のモデルが走査され、かつ／または基礎部分の形状がコンピュータ上でシミュレートされる。
【０００６】
欧州特許出願公開第１８６４６２７号明細書は、上顎の状況を反映するデジタル化仮想モデルに従って義歯を製造する方法を開示しており、この方法は、上顎の状況および関係を反映するデータ記録を提供するステップと、（オプションとして自動的に）歯のデジタルモデリングを行うステップと、歯のデジタルモデリングからのデータから分割されたネガ型（ラピッドマニュファクチャリング）を作成するステップと、製造された歯／製造された歯ユニットを開いたネガ型に挿入するステップと、ネガ型を閉じるステップと、残りのキャビティに義歯用のプラスチックを充填するステップと、を含む。
【０００７】
欧州特許出願公開第１４４４９６５号明細書は、歯科補綴物の製造方法に関し、この方法は、口腔内の３次元解剖学的関係を記録およびデジタル化（走査）するステップと、該当する場合は、咬合ブロックを含む咬合型の３次元データを記録およびデジタル化（走査）するステップと、該当する場合は、通常は咬合器を調整するために患者において取られる顎データを記録するステップと、関連する解剖学的構造が仮想の歯の配置に対して安全であり、仮想モデルがデータセットとして取得されるように、取得されたデータセットを処理するステップと、続いて、さらなるデータセットから製造済みの、以前にスキャンインされた歯の３Ｄデータセットを選択するステップと、第２のデータセットとしての仮想モデルに歯を仮想配置し、それに続いて、（例えば、フライス削りまたはラピッドプロトタイプされた）位置決めテンプレートによって、もしくはモデル上への製造された歯の直接配置、モデル上での歯の固定、補綴物基部の固定によって仮想配置をモデル上に転送するか、または、別の方法によると、最終的な正しい位置決めおよび製造された歯の固定のための位置決め補助を用いて、仮想歯配置のデータに従って、補綴物基部を直接製造するステップと、による。
【０００８】
国際公開第２００８／００５４３２号は、義歯の少なくとも一部を製造するためのシステムを開示している。このシステムは、義歯モデルの表面を走査するための３次元走査装置と、走査装置からのデータ、表面の３次元モデルを受信し、必要に応じて３次元モデルを修正し、かつ／または３次元モデルに機能を追加するための、コンピュータプログラムを有するコンピュータ可読媒体と、を含む。このシステムはまた、３次元モデルを考慮して選択されたモデルから義歯の少なくとも一部を生成するための処理を含む。処理は、材料を除去するかまたは積み上げるかのいずれかの方法で実施することができる。
【０００９】
国際公開第２０１５／０７８７０１号から、義歯床に挿入するための人工歯が知られており、これは、挿入状態にあるときに、目に見える外側部分と、義歯床の内側に配置された内側部分とを有する。ここで、歯は、外側部分と内側部分との間に歯のエッジが形成されるように設計されている。ここでは、歯のエッジは、そこで角度の変化が起こるように設計されている。この点で、それははっきりと目に見えるか、または画定されたエッジもしくは線である。歯のエッジでは、歯の外側部分から内側部分への連続的な移行はない。むしろ、角度は急激に変化する。さらに、義歯床に歯が挿入される挿入方向に対して、内側部分にアンダーカットがないように人工歯が設計されている。しかしながら、国際公開第２０１５／０７８７０１号に従って製造された人工歯は、人工歯を製造し、それを義歯床に正確に挿入することができるように、角度の変化を伴う明確に画定された歯のエッジを提供しなければならないという欠点を有する。これを考慮して、特に、角度の変化を有する歯のエッジがない人工歯を提供することができるように、義歯を製造するためのこのような自動的な方法が必要とされている。
【先行技術文献】
【特許文献】
【００１０】
【特許文献１】国際公開第２０１１／０６６８９５号
【特許文献２】欧州特許出願公開第２１１１８１号明細書
【特許文献３】欧州特許出願公開第１８６４６２７号明細書
【特許文献４】欧州特許出願公開第１４４４９６５号明細書
【特許文献５】国際公開第２００８／００５４３２号
【特許文献６】国際公開第２０１５／０７８７０１号
【発明の概要】
【発明が解決しようとする課題】
【００１１】
義歯床の製造方法の改良のために、本発明の目的は、適切な人工歯を有する歯ユニットを提供することであり、特に、義歯床を製造するための自動的な方法が提供される。
【課題を解決するための手段】
【００１２】
この目的は、請求項１に記載の歯ユニットおよび請求項１１に記載の義歯床の製造方法によって達成される。
【００１３】
本発明の歯ユニットは、義歯床に挿入するための人工歯およびこの歯の仮想データセットを含む。義歯床に挿入された状態で、人工歯は、目に見える外側部分と、義歯床の内側に配置された内側部分とを有する。歯の仮想データベースは、歯の外側形状および表面形状のデータをそれぞれ含む。
【００１４】
人工歯の内側部分は、歯が義歯床に挿入される挿入方向または押し込み方向に対して、アンダーカットが設けられないように設計されるべきである。それによって挿入は著しく促進される。特に、これに応じて挿入方向においてアンダーカットがない、義歯床でのキャビティの製造が、はるかに簡単な方法で可能である。
【００１５】
本発明によれば、仮想歯肉線は、歯の仮想データセットの、内側部分の方向にアンダーカットのない領域に形成される。この線は、挿入状態で目に見える、歯の外側部分と、目に見えない内側部分からの移行を定める。本発明によれば、仮想歯肉線が歯のアンダーカットのない領域に配置されるので、挿入方向または押し込み方向に歯を義歯床に挿入することが簡単に可能である。極端な場合、仮想歯肉線は、義歯床への歯の挿入方向または押し込み方向に対して、もはやアンダーカットが存在しない領域が始まる線を正確に表すことができる。
【００１６】
したがって、本発明の歯ユニットを使用して、角度の変化が生じる歯のエッジを有さない歯を明確に定義することも可能である。さらに、歯の挿入状態に対して仮想歯肉線を異なる高さに配置することができる。例えば、歯肉線を下に配置して、やや後退した歯肉を有するかなり古い歯に対応するようにすることができる。これに関して、患者の状況に対する正確な適応は非常に簡単な方法でなされ得る。
本発明の人工歯は、好ましくは、仮想歯肉線が全周にわたって延びるように設計されるように開発される。したがって、仮想歯肉線はそれ自体閉じた線である。これは特にＣＡＤ／ＣＡＭ法のような自動製造方法で有利である。
【００１７】
人工歯は、歯の形状を個別化するために外側部分においてのみ加工されることがさらに好ましい。これは、明確に画定された内側部分が存在するという点で有利であり、これは特に自動化にとって重要であり、したがって、キャビティを義歯床に自動的に形成することができる。キャビティの形状および深さは、このように明確に事前定義されている。
【００１８】
本発明の人工歯の特に好ましい発展形態では、内側部分は少なくとも０．６ｍｍの最小外半径を有する。したがって、内側部分の領域に存在する最小半径は、０．６ｍｍ以上である。これは特に義歯床におけるキャビティの製造に有利である。最小外半径が少なくとも１．０ｍｍ、特に少なくとも１．２５ｍｍであることが特に好ましい。
さらに、人工歯の内側部分が非対称になるように設計されていることが好ましい。具体的には、内側部分の形状は回転対称ではない。したがって、義歯床への誤った挿入が回避される。
義歯を完全に製造するために、本発明による複数の歯がライブラリ内に存在し、そこから特定の歯配列を選択することができる。
【００１９】
さらに、義歯の製造のために義歯床が提供される。義歯床は複数のキャビティを有し、各キャビティは前記で述べ、また有利には開発されたような、人工歯を受け入れるためのものである。ここで、対応する人工歯の義歯床への挿入方向に関して、キャビティは、キャビティにアンダーカットがないように設計されている。これにより、対応する義歯床における人工歯の簡単な配置が可能になる。
【００２０】
好ましくは、義歯床の個々のキャビティは、対応する方法で挿入されるべき人工歯のそれぞれの内側部分と相補的であるように設計されている。それによって、それぞれのキャビティと関連する歯の内側部分との間に一定の幅の間隙が形成される。これは義歯床に人工歯を確実に固定することを保証する。
【００２１】
義歯床の特に好ましい発展形態では、キャビティは、人工歯の内側部分の最小外半径以上の最小内半径を有する。例えば、人工歯の内側部分が少なくとも０．６ｍｍ以上の外半径を有する場合、キャビティはもっぱら少なくとも０．６ｍｍ以上の半径を有する。これは、フライス工具のような工具をキャビティの製造に使用することができるという利点を有し、そのフライスヘッド等は対応する作業半径を有する。少なくとも０．６ｍｍの半径では、直径１．２ｍｍのフライスヘッドを使用することができる。より小さな半径を製造するためには、より小さなフライスヘッドを使用しなければならないであろう。より小さいフライスヘッドまたは対応する工具を使用すると、キャビティの製造時間が長くなり、また工具の耐用年数も短くなる。したがって、キャビティの最小内半径は、特に１．０ｍｍ以上であることがさらに好ましく、特に好ましいように１．２５ｍｍ以上である。
【００２２】
具体的には、非対称的に、特に回転非対称的に設計された人工歯を使用する場合、キャビティも対応して非対称的に、そして好ましい実施形態においては特に回転非対称的に設計される。これは、それぞれの人工歯と対応するキャビティとの明確な関連付け、ならびにキャビティ内での対応する歯の明確な位置定義が明確かつ独特の方法で与えられるという本質的な利点を有する。
したがって、人工歯とキャビティとの独特の関連付けが存在するように、すべてのキャビティの形状が異なることが特に好ましい。したがって、誤った挿入は排除される。
挿入された人工歯が規定の歯の高さを有するように、特に深さに関してキャビティが設計されることがさらに好ましい。
さらに、特に審美的な理由からも、人工歯の仮想歯肉線が少なくとも部分的に、特に完全に挿入状態でキャビティエッジと一致するか、または２つのエッジが特に完全に重なることが、特に好ましい。
【００２３】
本発明の義歯床の製造方法では、本発明の少なくとも１つの人工歯の仮想義歯床または仮想歯肉への仮想埋め込みが行われる。次のステップにおいて、キャビティエッジは、少なくとも部分的に、特に完全に、仮想歯肉線と重なるように画定される。好ましくは、仮想歯肉線は、キャビティエッジを画定するために義歯床に転写される。本発明の少なくとも１つの歯のための仮想義歯床に仮想キャビティエッジが形成されるように、これは依然として仮想的に行われる。好ましくは、挿入された人工歯を有する義歯が完成したとき、キャビティエッジは仮想歯肉線と一致する。少なくとも１つのキャビティエッジを画定した後、実際の義歯床は、義歯基体にキャビティを形成することによって製造される。具体的には、これはキャビティをフライス削りすることによって行われる。キャビティは、ＣＡＤ／ＣＡＭ法を用いて製造されるのが好ましい。本発明によれば、ＣＡＭ法を実行するために、キャビティエッジは工具の動きを規定するために使用される。ここで、キャビティエッジは、フライス削りストラテジーを開発するための境界曲線として機能する。ＣＡＭでは、フライス削り経路は境界曲線および既知のキャビティ形状から生成される。製造工程では、従来技術から知られている、フライス削り工程に必要なパラメータが定義されている（回転数、送り、横方向および深さ送り）。
【００２４】
仮想キャビティエッジを画定することは、仮想義歯床から歯を仮想的に差し引くことによって実行されることが特に好ましい。それによって、仮想歯肉線の仮想義歯床への転写、ひいてはキャビティエッジの画定を簡単な方法で達成することが可能である。
【００２５】
特にＣＡＤ／ＣＡＭ法によって義歯床に製造されるキャビティは、特に好ましい実施形態では、歯の下側または内側部分と相補的である。これにより、接着面全体にわたって一定の幅または厚さを有する接着間隙を画定することができる。これは、歯のキャビティ内への極めて正確かつ明確に規定された挿入が保証されるという利点を有する。さらに、明確に画定された接着間隙のために、接着間隙の体積もまた明確に画定され、したがって所定量の接着剤をキャビティ内に導入することができ、それによって接着剤がキャビティエッジまたは歯のエッジの領域で絞り出されることを回避することができるという利点がある。これは、ポート処理ステップを単純化することができるか、または完全に省略することができるという点で有利である。
特に良好な自動化のためには、義歯床のキャビティもまた、歯が挿入されるかまたは押し込まれる方向にアンダーカットが生じないように形成されることが特に好ましい。
【００２６】
キャビティの製造は、フライス工具のような機械加工工具を使用して実施するのが好ましい。これに関して、工具は、人工歯の内側部分の最小外半径以上の作業半径を有することが好ましい。例えば、内側部分の最小外半径が少なくとも０．６ｍｍである場合、フライスヘッドは１．２ｍｍの直径を有する。
【００２７】
単一の歯に関して上述した本発明の方法を使用して、歯列弓の複数の、特にすべての歯が仮想歯科用ベースに仮想的に埋め込まれることが特に好ましい。したがって、関連するすべてのキャビティエッジは特に仮想的に差し引くことによって画定され、その後、単一の歯に関して上述したように、すべての関連するキャビティが、好ましくはＣＡＤ／ＣＡＭ法を使用して生成されることが好ましい。
本発明の少なくとも１つの歯が本発明によって規定される方法で仮想義歯床に埋め込まれる前に、好ましくは以下の方法ステップが実行され得る：
印象を作製することによって、またはデジタル画像化によって患者の口腔状況を決定するステップ、
おそらく、患者の口腔状況をデジタル化するステップ、
歯または歯の組の対応する配置概念に従って理想的に計算された配置から歯科補綴物を形成する歯を選択することにより、決定された患者の状況を考慮する空間に仮想的に配置される歯の仮想配置を得るステップ、
仮想配置で組み立てられた歯を仮想義歯床に仮想的に埋め込むステップ。
配置の概念は、例えば治療歯科医によって、特に患者に特化した方法で、確立される。
部分義歯または総義歯は、取り外し可能であるか、条件付きで取り外し可能であるか、または固定された義歯である。
患者の口の中で印象を取ること（患者の状況）は、特に印象塊によって行うことができる。本発明によれば、印象は、第１の印象、第２の印象（機能的印象）および咬合位置合わせに有利に使用することができる。
【００２８】
本発明の方法では、印象は従来の装置、いわゆる印象スプーンを使用して作ることができる。特に適切な印象スプーンは、粘膜と一致する接触を可能にする印象スプーンである。エッジ部分を減らす必要がある。印象スプーンは、印象材料を受け取り、咬合調整のための垂直機構、ならびに咬合固定のための後方形状を受け取るように構成されるべきである。
本発明の一実施形態では、患者の状況のデジタル記録は、撮像方法、特にカメラキャプチャリング、コンピュータ断層撮影法、または超音波などの光学的方法を使用して行われる。
【００２９】
本発明の方法の別の実施形態では、ライブラリは、例えばＶｉｔａシェイプカード（Ｖｉｔａ  ｓｈａｐｅ  ｃａｒｄｓ）番号１６９４および１７５６に見られるように、歯列弓、歯の形状およびサイズならびにそれらの組み合わせのモデルを含む。ライブラリは、角度に従ってすべての噛み合わせクラス（ｏｃｃｌｕｓｉｏｎ  ｃｌａｓｓｅｓ）について全体的な配置および／またはモジュール式の配置を考慮することが好ましい。そのように望まれるならば、ライブラリは異なる年齢関連の症状発現の歯肉のモデルも含み得る。
【００３０】
本発明の方法は、有利には、例えば上顎の歯１１および歯２１と、下顎の歯３１および歯４１との間の、移動要素（内向きおよび外向きの移動）の形態の機能性によって強化される仮想ヒンジを考慮することによって、歯列弓を患者の顎弓の個々の幅に適合させることを可能にする。歯肉のデザインは、仮想的な方法で、例えば口蓋隆線（ｐａｌａｔａｌ  ｒｉｄｇｅｓ）を挿入することによって、またはＡ線ならびにエッチングを調整することによって、個別化することができる。口蓋隆線については、隆線の記憶された仮想モデルを義歯の仮想モデルに挿入することが好ましい。ここでは、例えば伸張または圧縮によって、また口蓋表面へのマッピングによって、義歯の形状に従ってモデルを個々に修正することが有用であり得る。エッチングは、Ａ線付近の材料の厚さを仮想的に修正することによって修正され、Ａ線自体は仮想モデル内の曲線または境界線として表示および修正することができる。
これらの方法ステップは、国際出願第ＰＣＴ／ＥＰ２０１３／０６２２７９号に詳細に記載されている。
以下、本発明を、好適な実施形態および添付図面を参照しながら、さらに詳細に説明する。
【図面の簡単な説明】
【００３１】
【図１】本発明による人工歯の概略斜視側面図である。
【図２】本発明による人工歯の概略斜視背面図である。
【図３】義歯床のキャビティの概略斜視上面図である。
【図４】キャビティに挿入された歯の概略断面図である。
【図５】いくつかが挿入されている人工歯を有する義歯床の斜視図である。
【発明を実施するための形態】
【００３２】
完全な義歯、すなわち人工歯が挿入される義歯床を製造するために、例えば以下のステップが実行される：
印象を作製することによって、またはデジタル画像化によって患者の口腔状況を決定するステップ、
おそらく、患者の口腔状況をデジタル化するステップ、
歯または歯の組の対応する配置概念に従って理想的に計算された配置から歯科補綴物を形成する歯を選択することにより、決定された患者の状況を考慮する空間に仮想的に配置される歯の仮想配置を得るステップ、
仮想配置で組み立てられた歯を仮想歯肉または仮想義歯床に仮想的に埋め込むステップ、
実際の義歯を製造するステップ。
この方法は特に国際出願第ＰＣＴ／ＥＰ２０１３／０６２２７９号に記載されている。
【００３３】
この方法は、本発明に従って設計された人工歯が使用されるように本発明に従って開発される。したがって、対応するライブラリは、本発明に従って設計された多数の歯を含む。これらは、歯の形状、歯の大きさなどが異なる。特に、本発明による人工歯の共通の特徴は、角度の変化を伴う仮想歯肉線の形成である。
【００３４】
仮想歯肉線１０は、図１および図２に示す、歯、この場合は切歯、の例に示されている。一例として示されている人工歯は、外側部分１２と内側部分１４とを有する。外側部分１２は、仮想歯肉線１０によって内側部分１４から分離されている。人工歯が義歯床に挿入された状態で、外側部分１２は義歯床の外側に配置されるか、または目に見える。内側部分１４は、挿入状態で義歯床の内側に配置されているので目に見えない。
【００３５】
仮想歯肉線１０は、それ自体閉じた円周線として設計されている。歯のデータセットを使用して、この仮想歯肉線１０は、アンダーカットのない領域において内側部分１４の方向に作られる。仮想歯肉線は、アンダーカットのない領域に位置する。アンダーカットのない領域は線１６によって画定される。ここで、線１６は、挿入方向または押し込み方向におけるアンダーカットのない領域の境界を画定する。図１において、義歯床への挿入方向（矢印１７）に関して線１６より下にアンダーカットは作られていない。線１６の上には、アンダーカットが設けられている。
【００３６】
まず、義歯床２０（図３）を製造するために、個々の歯が仮想義歯床から差し引かれる。したがって、各歯に対してそれぞれ設計されたキャビティ２２を有する義歯床２０を仮想的に作り出すことが可能である。したがって、仮想義歯床２０は、キャビティエッジ２４によって制限されたキャビティ２２を有する。キャビティエッジ２４は義歯床２０から歯を仮想的に差し引くことによって作り出され、仮想歯肉線１０に対応する。
【００３７】
義歯床２０にキャビティ２２を形成することは、ＣＡＤ／ＣＡＭ法を用いて行われることが好ましい。これらはキャビティエッジ２４を使用してフライス削り経路または他の工具の移動経路を画定する。これにより、キャビティ２２を非常に正確かつ自動的に形成することが可能になる。
【００３８】
歯の内側部分１４は、キャビティ２２内への歯の挿入方向（２６）図４）にアンダーカットを有さないことが特に好ましいので、キャビティ２２内への単純な組み立てまたは単純な挿入／接着が可能である。ここで、キャビティ２２もまた、対応する挿入方向にアンダーカットがない。挿入方向２６は、実質的に義歯床に対して垂直に延びている。義歯が患者の口腔内に配置されると、挿入方向は実質的に垂直に延びる。
【００３９】
キャビティ２２は、キャビティ２２内での歯の正確な位置定義が与えられるように内側部分と相補的になるように形成されている。内側部分１４とキャビティ２２とを相補的に設計することによって、表面全体にわたって一定の幅を有する接着間隙２８（図４）を得ることがさらに可能である。そのようなものとして、接着間隙の体積、したがって、必要な接着剤の量もまた正確に分かる。
【００４０】
歯およびさらに義歯床２０を断面で示す図４には、仮想歯肉線１０がさらに示されている。ここで、実線で示す仮想歯肉線１０の部分は、歯の断面を基準にして紙面の手前に延びており、破線で示す部分は紙面の奥に延びている。
【００４１】
義歯を完全に製造するために、義歯床２０に複数のキャビティ２２（図５）を設ける。まず、明確に規定された量の接着剤を個々のキャビティに導入し、次に対応する歯を挿入方向２６においてキャビティ２２に挿入する。歯が挿入された状態で、キャビティエッジ２４と仮想歯肉線１０とは重なる。
【図１】
2019524368.tif 000003
【図２】
2019524368.tif 000004
【図３】
2019524368.tif 000005
【図４】
2019524368.tif 000006
【図５】
2019524368.tif 000007
【国際調査報告】
2019524368.tif 000008
2019524368.tif 000009
2019524368.tif 000010
2019524368.tif 000011
2019524368.tif 000012
2019524368.tif 000013